(57)【要約】      （修正有）【課題】人の生活するに最適の環境・居住空間をもたらすことのできる調湿・脱臭機能を備えた家庭内部屋に設置した有用な木質板スノコを提供する。【解決手段】木質板２の隙間を持たせて並べ合わせた板材面上に、各木質板材２に凹彫り込み部空間を形成されるとともに、上記凹彫り込み部に無機質調湿・吸湿材３の板材を嵌着・装填している無機質調湿・吸湿材３を嵌め込んだ木質板スノコである。【選択図】図３
0003216331.tif 000002
【実用新案登録請求の範囲】
【請求項１】
木質板の隙間を持たせて並べ合わせた板材面上に、各木質板材に凹掘り込み部を形成されるとともに、上記凹掘り込み部に無機質調湿・吸湿材の板材を嵌着・装填していることを特徴とする無機質調湿・吸湿材を嵌め込んだ木質板スノコ。
【請求項２】
木質板の隙間を持たせて並べ合わせた厚さ１０〜２５ｍｍ、幅５０〜２００ｍｍの木製板材面と幅５０〜１５０ｍｍの空隙部を設けて、前記木質板材に深さ４〜６ｍｍ、３０〜６０ｍｍの凹掘り込み部を形成され、前記凹掘り込み部に裏面に通ずる穴貫通部を３０〜８０％の割合設けているとともに、上記凹掘り込み部に吸湿性の高い無機質調湿・吸湿材の板材を装填して、裏面に前記無機質調湿・吸湿材の表面を３０〜８０％現れていることを特徴とする請求項１に記載の無機質調湿・吸湿材を嵌め込んだ木質板スノコ。
【請求項３】
無機質調湿・吸湿材の板材は、珪藻土の基材、又はバーミキュライトとケイ酸カルシウムからなる基材で、厚さ４〜６ｍｍ、幅５０〜１００ｍｍの板状材であって、木質板を持たせて並べ合わせたスノコ状板材面の凹彫り込んだ部に嵌め込んだスノコ板を構成されていることを特徴とする請求項１、又は請求項２に記載の無機質調湿・吸湿材を使用した木質板スノコ。
【請求項４】
木質板スノコ状板は、殺菌、脱臭の効果を持つ檜、杉の板状体であって、前記板状体の厚さ１０〜２５ｍｍで、縦長さ４５０〜１２００ｍｍで、横幅を５０〜２００ｍｍであり、凹部空間部の幅を２５〜２００ｍｍで、高さ２０〜５０ｍｍになって、全体的に均等に配列されていることを特徴とする請求項１、〜請求項３に記載の無機質調湿・吸湿材を嵌め込んだ木質板スノコ。
【請求項５】
木質板スノコは、板面の凹彫り込んだ部を形成した複数の平板材と空隙部を平行に整列するとともに、これら板面の凹掘り込み部を持つスノコ状板材の上面に複数の平板材が嵌着され、上記複数の平板材の上面に凹掘り込み部に前記無機質調湿・吸湿材の板状体を挿入して、前記スノコ状の平板材の凹掘り込み部に表面レベルと同等面か、又はそれ以下の面になるようにしていることを特徴とする請求項１〜請求項４のいずれかに記載の無機質調湿・吸湿材を嵌め込んだ木質板スノコ。
【請求項６】
無機質調湿・吸湿材を嵌着された凹掘り込み部木質板スノコは、ベッド、ソファーのクッション部の下部、あるいは押し入れの荷物及び下駄箱内靴の下部に敷くもの、あるいは水回り場所の洗面所、トイレ、浴室の足場として使用されることを特徴とする請求項１〜請求項５のいずれかに記載の無機質調湿・吸湿材を嵌め込んだ木質板スノコ。
【考案の詳細な説明】
【技術分野】
【０００１】本考案は、無機質調湿・吸湿材を使用した木製板スノコで、殺菌、脱臭の効果を持つ檜、杉、松の板状体に、木質板材に凹彫り込んだ部と該凹彫り込んだ部の空間に無機質調湿・吸湿材の板材で構成されて、収納空間内での除湿、脱臭
【背景技術】
【０００２】従来から日本の家庭で使用されている例えば、下駄箱では外出先から帰宅した後、脱いだ履物を下駄箱内の棚板上に載置し、戸板を締めて収納するものであるがこの場合、靴などが吸い込んだ水分や汗の臭いを除去することに気配りする人は吸湿剤や脱臭剤を靴の中に入れたり、下駄箱の片隅に予め設置しておくなどの処置をしている。また、布団を押入れに収納する場合、押入床面上に新聞紙やダンボール紙を敷き詰めるなどをしていた。このような方策では、睡眠中に体から排出され、布団が吸収した汗や臭いは蓄積されるばかりであり、それらを除去する手法として時折天日干しすることが昔から行われていた。【０００３】しかし、近年、生活環境改善の一方策として、押入れに収納した布団にあっては身体から出た汗による水分や臭いを吸着除去するためにスノコの下部に、椰子柄活性炭、備長炭、竹炭などを入れた炭容器をセットした下部スノコを引出し自在にしたもの、その他、布団などを載置可能な基台の下部に木炭、竹炭を入れた引出し容器を収納したものなどが既に提案されている（特許文献１，２参照）。【０００４】人の生活するに最適の環境・居住空間をもたらすことのできる調湿・脱臭機能を備えた家具、建築部材等の構成に有用なスノコ部材を提供するために、板状体内に、調湿・脱臭剤等を介装した板状部材でもって家具や建築用構成部材として用いて、貼り合せられた少なくとも上下二枚の板材の重ね合わせ面側の、少なくとも一方の板材に凹部空間と該凹部空間に連通する複数個のスリット又は開孔が形成されるとともに上記凹部空間には調湿・脱臭剤が装填されている板状部材スノコが提案されている（特許文献３参照）。【０００５】スノコが従来から持つ通気機能をさらに高め、且つその通気機能と炭の持つ除湿機能とを相乗化させると共に、効果的な消臭作用を併せ持つスノコを提供することが検討されて、下部スノコの枠体内に炭容器を収納する。上部スノコ内に下部スノコを引出し状で収納する。桁の底面に側部通気孔を形成して、枠体の前面に前部通気孔を形成する。下部スノコが上部スノコ内に収納された際、下部桟木の底面が桁の最下部より高い位置になるように設けることが提案されている（特許文献４参照）。【０００６】  押し入れ内の湿気を吸収しやすくし、脱着を容易にして、吸湿体の乾燥させる時期を安価で簡単な方法でわかるようにするために、吸湿体付きスノコを取付け、湿度インジケーターカードを取り付けたものが提案されている（特許文献５参照）。【０００７】無機質調湿・吸湿材を使用した木質板スノコで、殺菌、脱臭の効果を持つ檜、杉、松の板状体に、木質板材に凹部空間と該凹部空間に連通する複数個のスリット溝空間部に無機質調湿・吸湿材の板材で構成されたものは存在していない。
【先行技術文献】
【特許文献】
【０００８】
【特許文献１】特開平１１−２２９６０４号公報
【特許文献２】実用新案登録第３０６１０８０号公報
【特許文献３】特開２００５−１１３４７８号公報
【特許文献４】特開平１１−２２９６０４公報
【特許文献５】特開２００１−１７３２１９号公報
【考案の概要】
【考案が解決しようとする課題】
【０００９】  上記公報に開示されているスノコにあっては、活性炭、備長炭などの吸湿、吸臭成分のみを用いたものであるため、直接に使用せずに、包装容器に包んで使用されている。また吸湿、吸臭機能はそれほど大きいものではなく、脱臭能力も初期性能を長期間保持できず、本来の吸湿・脱臭機能をもたらすには改めて新たな活性炭と頻繁に入れ替える必要があった。【００１０】上記した押入れ除湿剤や除湿容器は、布団の隙間や開いている部分に置くだけでその周辺の除湿はするものの押入れ全体の除湿は十分になされない。また、これらの除湿手段は殆どが使い捨てである上、化学薬品を用いているため、廃棄する際において環境上の問題が残る。さらに、除湿効果を得られても消臭効果は十分とはいえず、カビ臭さなどを消すことはできなかった。上記問題に鑑みなされたもので、スノコが従来から持つ通気機能をさらに高め、且つその通気機能と炭の持つ除湿機能とを相乗化させると共に、効果的な消臭作用を併せ持つスノコを提供することを目的とするものであった。【００１１】無機質調湿・吸湿材を使用した間伐材の杉、ヒノキの木質板スノコである吸湿・吸湿体がスノコ表面のスノコ板の間からだけでなく、裏面からも吸着でき、スノコどうしを組み立てることなく、スノコの単体空間にて容易に押し入れ内にて脱着ができ、なおかつ吸湿・吸湿体付近の湿気を、簡便な方法にてわかるようにした、無機質の吸湿・吸湿体付き杉、ヒノキの木質板スノコを提供しようとするものである。
【課題を解決するための手段】
【００１２】木質板の隙間を持たせて並べ合わせた板材面上に、各木質板材に凹掘り込み部を形成されるとともに、上記凹掘り込み部に無機質調湿・吸湿材の板材を嵌着・装填している無機質調湿・吸湿材を嵌め込んだ木質板スノコである。【００１３】木質板の隙間を持たせて並べ合わせた厚さ１０〜２５ｍｍ、幅５０〜２００ｍｍの木製板材面と幅５０〜１５０ｍｍの空隙部を設けて、前記木質板材に深さ４〜６ｍｍ、３０〜６０ｍｍの凹掘り込み部を形成され、前記凹掘り込み部に裏面に通ずる穴貫通部を３０〜８０％の割合設けているとともに、上記凹掘り込み部に吸湿性の高い無機質調湿・吸湿材の板材を装填して、裏面に前記無機質調湿・吸湿材の表面を３０〜８０％現れている。【００１４】無機質調湿・吸湿材の板材は、珪藻土の基材、又はバーミキュライトとケイ酸カルシウムからなる基材で、厚さ４〜６ｍｍ、幅５０〜１００ｍｍの板状材であって、木質板を持たせて並べ合わせたスノコ状板材面の凹彫り込んだ部に嵌め込んだスノコ板を構成されている。【００１５】木質板スノコ状板は、殺菌、脱臭の効果を持つ檜、杉の板状体であって、前記板状体の厚さ１０〜２５ｍｍで、縦長さ４５０〜１２００ｍｍで、横幅を５０〜２００ｍｍであり、凹部空間部の幅を２５〜２００ｍｍで、高さ２０〜５０ｍｍになって、全体的に均等に配列されている。【００１６】木質板スノコは、板面の凹彫り込んだ部を形成した複数の平板材と空隙部を平行に整列するとともに、これら板面の凹掘り込み部を持つスノコ状板材の上面に複数の平板材が嵌着され、上記複数の平板材の上面に凹掘り込み部に前記無機質調湿・吸湿材の板状体を挿入して、前記スノコ状の平板材の凹掘り込み部に表面レベルと同等面か、又はそれ以下の面になるようにしている。
無機質調湿・吸湿材を嵌着された凹掘り込み部木質板スノコは、ベッド、ソファーのクッション部の下部、あるいは押し入れの荷物及び下駄箱内靴の下部に敷くもの、あるいは水回り場所の洗面所、トイレ、浴室の足場として使用される。
【考案の効果】
【００１７】本考案は上述した如く構成したものであることから、各木質板材に凹掘り込み部を形成されるとともに、上記凹掘り込み部に無機質調湿・吸湿材の板材を嵌着している、優れた調湿（吸湿）、脱臭機能が長期間に亘って持続し、かつ木材と合わせて抗菌性を有する無機質を適量付加してあることから抗菌作用が相乗する効果を併せて発揮するため、居室内を常に良好なる居住環境に保つことができ、心身ともに健康な状態とし、快適な生活環境を営むことができるようになった。【００１８】従来の杉、檜、松の持つ防湿効果に加え、無機質調湿・吸湿材の珪藻土の基材、又はバーミキュライトとケイ酸カルシウムからなる基材が持つ防湿効果・調湿効果や防虫効果があいまって期待出来、防湿・調湿、防虫性の優れた家庭用木質材スノコになる。又、無機質調湿・吸湿材の防湿効果ともに素材の杉、檜、松の黴の発生も出来るようになった。
【図面の簡単な説明】
【００１９】
【図１】無機質調湿・吸湿材を嵌め込んだ木質板スノコの斜視図である。
【図２】無機質調湿・吸湿材を嵌め込んだ木質板スノコに係る板状部材の断面図である。Ａ：通気穴部なし  Ｂ：通気穴部あり
【図３】無機質調湿・吸湿材を嵌め込んだ木質板スノコの無機質調湿・吸湿材のベッド使用の図である。Ａ：平面  Ｂ：横側面  Ｃ：縦側面
【考案を実施するための形態】
【００２０】  以下、本発明の実施の形態に係る調湿・脱臭機能を備えた板状部材とそれを用いた押入れ用スノコについて、それぞれ図面を参照しながら具体的に詳述する。
【実施例１】
【００２１】木質板の隙間を持たせて並べ合わせた厚さ１０ｍｍ、幅１００ｍｍの杉木製板材面と幅３０ｍｍの空隙部を設けて、前記木質板材に深さ５ｍｍ、幅４０ｍｍの凹掘り込み部を形成され、前記凹掘り込み部に裏面に通ずる穴貫通部を４０％の割合設けているとともに、上記凹掘り込み部に吸湿性の高い無機質調湿・吸湿材の板材を装填して、裏面に前記無機質調湿・吸湿材の表面を３０％にした。【００２２】無機質調湿・吸湿材の板材は、珪藻土の基材、又はバーミキュライトとケイ酸カルシウムからなる基材で、厚さ４ｍｍ、幅４０ｍｍの板状材であって、杉木質板を持たせて並べ合わせたスノコ状板材面の凹彫り込んだ部に嵌め込んだスノコ板を構成された。【００２３】杉木質板スノコ状板は、殺菌、脱臭の効果を持つ杉の板状体であって、前記板状体の厚さ１０ｍｍで、縦長さ１０００ｍｍで、横幅を１００ｍｍであり、凹部空間部の幅を３０ｍｍになって、全体の長さ縦１１００ｍｍ。横１０００ｍｍで、スノコ板と空間部を全体的に均等に配列された。【００２４】杉木質板スノコは、板面の凹彫り込んだ部を形成した複数の平板材と空隙部を平行に整列するとともに、これら板面の凹掘り込み部を持つスノコ状板材の上面に複数の平板材が嵌着され、上記複数の平板材の上面に凹掘り込み部に前記無機質調湿・吸湿材の板状体を挿入して、前記スノコ状の平板材の凹掘り込み部に表面レベルよりそれ以下の面になるようにした。【００２５】無機質調湿・吸湿材を嵌着された凹掘り込み部の杉木質板スノコは、２枚使用して、ベッドのクッション部の下部に敷くものに使用した。
【実施例２】
【００２６】木質板の隙間を持たせて並べ合わせた厚さ２０ｍｍ、幅１２０ｍｍの木製板材面と幅５０ｍｍの空隙部を設けて、前記ヒノキ木質板材に深さ６ｍｍ、５０ｍｍの凹掘り込み部を形成され、前記凹掘り込み部に裏面に通ずる穴貫通部を３０％の割合設けているとともに、上記凹掘り込み部に吸湿性の高い無機質調湿・吸湿材の板材を装填して、裏面に前記無機質調湿・吸湿材の表面を３０％現れた。【００２７】無機質調湿・吸湿材の板材は、珪藻土の基材、又はバーミキュライトとケイ酸カルシウムからなる基材で、厚さ６ｍｍ、幅５０ｍｍの板状材であって、ヒノキ木質板を持たせて並べ合わせたスノコ状板材面の凹彫り込んだ部に嵌め込んだスノコ板を構成された。【００２８】木質板スノコ状板は、殺菌、脱臭の効果を持つヒノキの板状体であって、前記板状体の厚さ２０ｍｍで、縦長さ９００ｍｍで、横幅を１２０ｍｍであり、凹部空間部の幅を８０ｍｍで、高さ１６ｍｍになって、全体的に均等に配列された。【００２９】木質板スノコは、板面の凹彫り込んだ部を形成した複数の平板材と空隙部を平行に整列するとともに、これら板面の凹掘り込み部を持つスノコ状板材の上面に複数の平板材が嵌着され、上記複数の平板材の上面に凹掘り込み部に前記無機質調湿・吸湿材の板状体を挿入して、前記スノコ状の平板材の凹掘り込み部に表面レベルと同等面になるようにした。【００３０】無機質調湿・吸湿材を嵌着された凹掘り込み部木質板スノコは、押入れの下部に敷くものに使用した。
【実施例３】
【００３１】木質板の隙間を持たせて並べ合わせた厚さ１０〜２０ｍｍ、幅８０〜１８０ｍｍの木製板材面と幅５０〜１５０ｍｍの空隙部を設けて、前記木質板材に深さ４〜６ｍｍ、３０〜６０ｍｍの凹掘り込み部を形成され、前記凹掘り込み部に裏面に通ずる穴貫通部を３０〜８０％の割合設けているとともに、上記凹掘り込み部に吸湿性の高い無機質調湿・吸湿材の板材を装填して、裏面に前記無機質調湿・吸湿材の表面を３０〜８０％現れた。【００３２】無機質調湿・吸湿材の板材は、珪藻土の基材、又はバーミキュライトとケイ酸カルシウムからなる基材で、厚さ４〜６ｍｍ、幅５０〜１００ｍｍの板状材であって、木質板を持たせて並べ合わせたスノコ状板材面の凹彫り込んだ部に嵌め込んだスノコ板を構成された。【００３３】木質板スノコ状板は、殺菌、脱臭の効果を持つ檜、杉の板状体であって、前記板状体の厚さ１０〜２５ｍｍで、縦長さ４５０〜１２００ｍｍで、横幅を５０〜２００ｍｍであり、凹部空間部の幅を２５〜２００ｍｍで、高さ２０〜５０ｍｍになって、全体的に均等に配列された。【００３４】木質板スノコは、板面の凹彫り込んだ部を形成した複数の平板材と空隙部を平行に整列するとともに、これら板面の凹掘り込み部を持つスノコ状板材の上面に複数の平板材が嵌着され、上記複数の平板材の上面に凹掘り込み部に前記無機質調湿・吸湿材の板状体を挿入して、前記スノコ状の平板材の凹掘り込み部に表面レベルと同等面になるようにした。【００３５】無機質調湿・吸湿材を嵌着させた凹掘り込み部木質板スノコはベッド、あるいは押し入れの荷物の下部に敷くもの、あるいは水回り場所の洗面所として使用した。
【符号の説明】
【００３６】１．木製板スノコ
２．木製板
３．無機質調湿・吸湿材（モイス）
４．凹彫り込んだ部空間
５．スリット溝
６．桟木
７．ベッドのフレーム
８．押入れ
９．下駄箱
１２．空間部
１３．穴部
【図１】
0003216331.tif 000003
【図２】
0003216331.tif 000004
【図３】
0003216331.tif 000005
【手続補正書】
【提出日】平成29年10月26日(2017.10.26)
【手続補正１】
【補正対象書類名】実用新案登録請求の範囲
【補正対象項目名】全文
【補正方法】変更
【補正の内容】
【実用新案登録請求の範囲】
【請求項１】
木質板の隙間を持たせて並べ合わせた平板材面上に、各木質板材に凹掘り込み部を形成されるとともに、上記凹掘り込み部に無機質調湿・吸湿材の平板材を嵌着・装填していることを特徴とする無機質調湿・吸湿材を嵌め込んだ木質板スノコ。
【請求項２】
木質板の隙間を持たせて並べ合わせた厚さ１０〜２５ｍｍ、幅５０〜２００ｍｍの木製板材面と幅５０〜１５０ｍｍの空隙部を設けて、前記木質平板材に深さ４〜６ｍｍ、幅３０〜６０ｍｍの凹掘り込み部を形成され、前記凹掘り込み部に裏面に通ずる穴貫通部を３０〜８０％の割合設けているとともに、上記凹掘り込み部に吸湿性の高い無機質調湿・吸湿材の平板材を装填して、裏面に前記無機質調湿・吸湿材の表面を３０〜８０％現れていることを特徴とする請求項１に記載の無機質調湿・吸湿材を嵌め込んだ木質板スノコ。
【請求項３】
無機質調湿・吸湿材の板材は、珪藻土の基材、又はバーミキュライトとケイ酸カルシウムからなる基材で、厚さ４〜６ｍｍ、幅５０〜１００ｍｍの板状材であって、木質板を持たせて並べ合わせた木質スノコ状平板材面の凹彫り込んだ部に嵌め込んだ木質板スノコ形態を構成されていることを特徴とする請求項１、又は請求項２に記載の無機質調湿・吸湿材を使用した木質板スノコ。
【請求項４】
前記木質平板材は、殺菌、脱臭の効果を持つ檜、杉の板状体であって、各平板材として厚さ１０〜２５ｍｍで、縦長さ４５０〜１２００ｍｍで、横幅を５０〜２００ｍｍであり、中央部に凹状空間を持つ凹掘り込み部の幅を２５〜２００ｍｍで、高さ２０〜５０ｍｍにして、全体的に前記木質平板材と空隙部とを並列的に配列されていることを特徴とする請求項１〜請求項３に記載の無機質調湿・吸湿材を嵌め込んだ木質板スノコ。
【請求項５】
木質板スノコは、板面に凹状の彫り込んだ部分を形成した複数の凹掘り込み部を持つ平板材と空隙部とをスノコ状並列的に配列するとともに、前記の各平板材の上面に存在する凹掘り込み部に前記無機質調湿・吸湿材の板状体を嵌着・挿入して、前記嵌着された無機質調湿・吸湿材である板状体表面を、スノコ状平板材の表面レベルと同一面か、又はそれ以下の面になるようにしていることを特徴とする請求項１〜請求項４のいずれかに記載の無機質調湿・吸湿材を嵌め込んだ木質板スノコ。
【請求項６】
無機質調湿・吸湿材を嵌着された凹掘り込み部木質板スノコは、ベッド、ソファーのクッション部の下部、あるいは押し入れの荷物及び下駄箱内靴の下部に敷くもの、あるいは水回り場所の洗面所、トイレ、浴室の足場として使用されることを特徴とする請求項１〜請求項５のいずれかに記載の無機質調湿・吸湿材を嵌め込んだ木質板スノコ。
【手続補正書】
【提出日】平成30年1月22日(2018.1.22)
【手続補正１】
【補正対象書類名】実用新案登録請求の範囲
【補正対象項目名】全文
【補正方法】変更
【補正の内容】
【実用新案登録請求の範囲】
【請求項１】
木質板の隙間を持たせて並べ合わせた平板材面上に、各木質板材に凹掘り込み部を形成されるとともに、上記凹掘り込み部に無機質調湿・吸湿材の平板材を嵌着・装填していることを特徴とする無機質調湿・吸湿材を嵌め込んだ木質板スノコ。
【請求項２】
木質板の隙間を持たせて並べ合わせた厚さ１０〜２５ｍｍ、幅５０〜２００ｍｍの木製板材面と幅５０〜１５０ｍｍの空隙部を設けて、前記木質板材に深さ４〜６ｍｍ、幅３０〜６０ｍｍの凹掘り込み部を形成され、前記凹掘り込み部に裏面に通ずる穴貫通部を３０〜８０％の割合設けているとともに、上記凹掘り込み部に吸湿性の高い無機質調湿・吸湿材の平板材を装填して、裏面に前記無機質調湿・吸湿材の表面を３０〜８０％現れていることを特徴とする請求項１に記載の無機質調湿・吸湿材を嵌め込んだ木質板スノコ。
【請求項３】
無機質調湿・吸湿材の板材は、珪藻土の基材、又はバーミキュライトとケイ酸カルシウムからなる基材で、厚さ４〜６ｍｍ、幅５０〜１００ｍｍの板状材であって、木質板を持たせて並べ合わせた木質スノコ状平板材面の凹彫り込んだ部に嵌め込んだ木質板スノコ形態を構成されていることを特徴とする請求項１、又は請求項２に記載の無機質調湿・吸湿材を使用した木質板スノコ。
【請求項４】
前記木質平板材は、殺菌、脱臭の効果を持つ檜、杉の板状体であって、各平板材として厚さ１０〜２５ｍｍで、縦長さ４５０〜１２００ｍｍで、横幅を５０〜２００ｍｍであり、中央部に凹状空間を持つ凹掘り込み部の幅を２５〜２００ｍｍで、高さ２０〜５０ｍｍにして、全体的に前記木質板材と空隙部とを並列的に配列されていることを特徴とする請求項１〜請求項３のいずれかに記載の無機質調湿・吸湿材を嵌め込んだ木質板スノコ。
【請求項５】
木質板スノコは、板面に凹状の彫り込んだ部分を形成した複数の凹掘り込み部を持つ平板材と空隙部とをスノコ状並列的に配列するとともに、前記の各平板材の上面に存在する凹掘り込み部に前記無機質調湿・吸湿材の板状体を嵌着・挿入して、前記嵌着された無機質調湿・吸湿材である板状体表面を、スノコ状平板材の表面レベルと同一面か、又はそれ以下の面になるようにしていることを特徴とする請求項１〜請求項４のいずれかに記載の無機質調湿・吸湿材を嵌め込んだ木質板スノコ。
【請求項６】
無機質調湿・吸湿材を嵌着された凹掘り込み部木質板スノコは、ベッド、ソファーのクッション部の下部、あるいは押し入れの荷物及び下駄箱内靴の下部に敷くもの、あるいは水回り場所の洗面所、トイレ、浴室の足場として使用されることを特徴とする請求項１〜請求項５のいずれかに記載の無機質調湿・吸湿材を嵌め込んだ木質板スノコ。